(57)【要約】キャリアは、トップパネルと、該トップパネルに折り曲げ可能に接続されている第１のサイドパネルと、前記トップパネルに折り曲げ可能に接続されている第２のサイドパネルと、少なくとも１つの第１のストラットによって前記第１のサイドパネルに接続されている第１のボトムパネルと、少なくとも１つの第２のストラットによって前記第２のサイドパネルに接続されている第２のボトムパネルと、を備えるキャリア。少なくとも１つの容器収納部分は、第１の保持機能部と反対側の第２の保持機能部とを含む。前記第１の保持機能部及び前記第２の保持機能部のうちの少なくとも一方の少なくとも一部は、前記第１のサイドパネル又は前記第２のサイドパネル内に位置する。容器が、前記第１の保持機能部及び前記第２の保持機能部のうちの少なくとも一方によって保持されることができる。前記第１のボトムパネル及び前記第２のボトムパネルのうちの少なくとも一方の少なくとも一部は、前記容器と前記トップパネルとの間に少なくとも部分的に配置される。【選択図】図４
2013544725.tif 000002
【特許請求の範囲】
【請求項１】
少なくとも１つの容器を少なくとも部分的に保持するキャリアを含むパッケージであって、前記少なくとも１つの容器は周縁部分と本体部分とを含み、前記キャリアは、
トップパネルと、該トップパネルに折り曲げ可能に接続されている第１のサイドパネルと、前記トップパネルに折り曲げ可能に接続されている第２のサイドパネルと、少なくとも１つの第１のストラットによって前記第１のサイドパネルに接続されている第１のボトムパネルと、少なくとも１つの第２のストラットによって前記第２のサイドパネルに接続されている第２のボトムパネルと、
第１の保持機能部と反対側の第２の保持機能部とを含む少なくとも１つの容器収納部分であって、前記第１の保持機能部及び前記第２の保持機能部のうちの少なくとも一方の少なくとも一部は、前記第１のサイドパネル又は前記第２のサイドパネルに位置し、前記少なくとも１つの容器の前記周縁部分は、前記第１の保持機能部及び前記第２の保持機能部のうちの少なくとも一方によって少なくとも部分的に保持される、少なくとも１つの容器収納部分と、
を備え、
前記第１のボトムパネル及び前記第２のボトムパネルのうちの少なくとも一方の少なくとも一部は、前記少なくとも１つの容器の上部と前記トップパネルとの間に少なくとも部分的に配置される、少なくとも１つの容器を少なくとも部分的に保持するキャリアを含むパッケージ。
【請求項２】
前記第１の保持機能部は、前記第１のサイドパネルにある第１の開口と、前記第２のサイドパネルにある第２の開口とを含み、前記第１の開口は、前記少なくとも１つの容器の前記周縁部分に隣接する第１の保持縁を含み、前記第２の開口は、前記少なくとも１つの容器の前記周縁部分に隣接する第２の保持縁を含む、請求項１に記載のパッケージ。
【請求項３】
前記少なくとも１つの第１のストラットは、第１の横方向折り線に沿って前記第１のサイドパネルに、及び第２の横方向折り線に沿って前記第１のボトムパネルに折り曲げ可能に接続されており、
前記少なくとも１つの第２のストラットは、第３の横方向折り線に沿って前記第２のサイドパネルに、及び第４の横方向折り線に沿って前記第２のボトムパネルに折り曲げ可能に接続されており、
前記第１のボトムパネル及び前記第２のボトムパネルのそれぞれは２つの横方向縁を含み、
前記第２の横方向折り線及び前記第４の横方向折り線のそれぞれは、それぞれの前記第１のボトムパネル及び前記第２のボトムパネルのそれぞれの前記２つの横方向縁からそれぞれ離間している、請求項２に記載のパッケージ。
【請求項４】
前記少なくとも１つの第１のストラット及び前記少なくとも１つの第２のストラットのそれぞれの各縁は、前記少なくとも１つの容器の前記本体部分に隣接して配置され、前記第１のサイドパネル及び前記第２のサイドパネルのそれぞれの少なくとも一部は、前記少なくとも１つの容器の前記本体部分に隣接して配置される、請求項３に記載のパッケージ。
【請求項５】
前記少なくとも１つの容器は少なくとも部分的に湾曲している本体部分を含み、前記第１のサイドパネル及び前記第２のサイドパネルのそれぞれの部分は、前記本体部分にそれぞれ少なくとも部分的に接触し、前記本体部分に概ね対応するように少なくとも部分的に湾曲する、請求項２に記載のパッケージ。
【請求項６】
前記第１のサイドパネルは、前記第１の開口の前記第１の保持縁から延びる少なくとも１つの第１の切れ目を含み、前記第２のサイドパネルは、前記第２の開口の前記第２の保持縁から延びる少なくとも１つの第２の切れ目を含み、前記第１の保持縁及び前記第２の保持縁の少なくとも一部は、前記少なくとも１つの容器の前記本体部分の隣接する部分に概ね対応するように湾曲する、請求項５に記載のパッケージ。
【請求項７】
前記少なくとも１つの第１のストラットは、少なくとも１つの第１の外側ストラットと少なくとも１つの第１の内側ストラットとを含み、前記少なくとも１つの第２のストラットは、少なくとも１つの第２の外側ストラットと少なくとも１つの第２の内側ストラットとを含む、請求項１に記載のパッケージ。
【請求項８】
前記少なくとも１つの第１の外側ストラット、前記少なくとも１つの第１の内側ストラット、前記少なくとも１つの第２の外側ストラット、及び前記少なくとも１つの第２の内側ストラットのそれぞれは、前記少なくとも１つの容器の本体部分に隣接して配置される少なくとも１つの斜めの縁を含む、請求項７に記載のパッケージ。
【請求項９】
請求項７に記載のパッケージであって、該パッケージは、前記少なくとも１つの第１の外側ストラットに折り曲げ可能に接続されている少なくとも１つの第１の延長部と、前記少なくとも１つの第１の内側ストラットに折り曲げ可能に接続されている少なくとも１つの第２の延長部と、前記少なくとも１つの第２の外側ストラットに折り曲げ可能に接続されている少なくとも１つの第３の延長部と、前記少なくとも１つの第２の内側ストラットに折り曲げ可能に接続されている少なくとも１つの第４の延長部と、を更に含み、
前記少なくとも１つの第１の延長部、前記少なくとも１つの第２の延長部、前記少なくとも１つの第３の延長部、及び前記少なくとも１つの第４の延長部のそれぞれは、前記少なくとも１つの容器の本体部分に少なくとも部分的に対面接触し、
前記少なくとも１つの第１の延長部、前記少なくとも１つの第２の延長部、前記少なくとも１つの第３の延長部、及び前記少なくとも１つの第４の延長部のそれぞれは、前記少なくとも１つの容器の前記周縁部分の少なくとも一部に係合する延長部縁を含む、パッケージ。
【請求項１０】
前記少なくとも１つの第１の延長部、前記少なくとも１つの第２の延長部、前記少なくとも１つの第３の延長部、及び前記少なくとも１つの第４の延長部のそれぞれは、それぞれの湾曲している折り線に沿って、それぞれの前記少なくとも１つの第１の外側ストラット、前記少なくとも１つの第１の内側ストラット、前記少なくとも１つの第２の外側ストラット、及び前記少なくとも１つの第２の内側ストラットにそれぞれ折り曲げ可能に接続されており、前記湾曲している折り線のそれぞれの少なくとも一部は、前記少なくとも１つの容器の前記本体部分に隣接して配置される、請求項９に記載のパッケージ。
【請求項１１】
前記第１のボトムパネルは少なくとも１つの係止フラップを含み、前記第２のボトムパネルは少なくとも１つの係止孔を含み、前記少なくとも１つの係止フラップは前記少なくとも１つの係止孔に少なくとも部分的に係合する、請求項１に記載のパッケージ。
【請求項１２】
請求項１１に記載のパッケージであって、該パッケージは、前記少なくとも１つの第１のストラットに折り曲げ可能に接続されている少なくとも１つの第１の延長部と、前記少なくとも１つの第２のストラットに折り曲げ可能に接続されている少なくとも１つの第２の延長部と、を更に含み、前記少なくとも１つの第１の延長部及び前記少なくとも１つの第２の延長部のそれぞれは、前記少なくとも１つの容器の前記周縁部分の少なくとも一部に係合する延長部縁を含む、パッケージ。
【請求項１３】
前記第１の保持機能部は前記第１のサイドパネルにある第１の保持縁を含み、前記第２の保持機能部は前記第２のサイドパネルにある第２の保持縁を含み、前記第１の保持縁及び前記第２の保持縁のそれぞれは前記少なくとも１つの容器の前記周縁部分に隣接し、
前記少なくとも１つの係止フラップ及び前記少なくとも１つの係止孔は、前記少なくとも１つの容器収納部分の前記第１の保持機能部及び前記第２の保持機能部と概ね位置合わせされている、請求項１１に記載のパッケージ。
【請求項１４】
前記第１のサイドパネルは、前記第１の保持機能部の前記第１の保持縁から延びる少なくとも１つの第１の切れ目を含み、前記第２のサイドパネルは、前記第２の保持機能部の前記第２の保持縁から延びる少なくとも１つの第２の切れ目を含み、前記第１の保持機能部及び前記第２の保持機能部の少なくとも一部は、前記少なくとも１つの容器の前記本体部分の隣接する部分に概ね対応するように湾曲する、請求項１３に記載のパッケージ。
【請求項１５】
前記少なくとも１つの容器収納部分は、１つの列に概ね位置合わせされる少なくとも２つの容器収納部分を含む、請求項１に記載のパッケージ。
【請求項１６】
前記少なくとも１つの容器収納部分は、第１の列の少なくとも１つの第１の容器収納部分と、第２の列の少なくとも１つの第２の容器収納部分とを含み、前記少なくとも１つの容器は、前記第１の列に少なくとも部分的に保持される少なくとも１つの第１の容器と、前記第２の列に少なくとも部分的に保持される少なくとも１つの第２の容器とを含む、請求項１に記載のパッケージ。
【請求項１７】
請求項１６に記載のパッケージであって、該パッケージは、第１の底部構造部と第２の底部構造部とを更に含み、前記第１の底部構造部は、前記第１のボトムパネルと、第１の仕切りパネルと、第１の端部パネルとを含み、前記第２の底部構造部は、前記第２のボトムパネルと、第２の仕切りパネルと、第２の端部パネルとを含み、前記少なくとも１つの第１の容器収納部分及び前記少なくとも１つの第２の容器収納部分のそれぞれの前記第１の保持機能部は、それぞれの第１の外側保持機能部と第２の外側保持機能部とを含み、前記少なくとも１つの第１の容器収納部分及び前記少なくとも１つの第２の容器収納部分のそれぞれの前記第２の保持機能部は、それぞれの第１の内側保持機能部と第２の内側保持機能部とを含む、パッケージ。
【請求項１８】
前記第１のボトムパネルは前記第２の端部パネルに少なくとも部分的に重なり、前記第１の仕切りパネルは前記第２の仕切りパネルに少なくとも部分的に重なり、前記第１の端部パネルは前記第２のボトムパネルに少なくとも部分的に重なる、請求項１７に記載のパッケージ。
【請求項１９】
前記第２のボトムパネルは少なくとも１つの係止フラップを含み、前記第１の仕切りパネルは少なくとも１つの係止孔を含み、前記少なくとも１つの係止フラップは前記少なくとも１つの係止孔に少なくとも部分的に係合し、
前記第２の仕切りパネルは少なくとも１つの仕切り開口を含み、前記少なくとも１つの係止フラップは前記少なくとも１つの仕切り開口に隣接し、
前記少なくとも１つの第２の容器収納部分の前記第２の内側保持機能部は、前記少なくとも１つの容器の前記周縁部分に隣接する保持縁を含み、該保持縁は前記係止孔に隣接する、請求項１８に記載のパッケージ。
【請求項２０】
前記第１の端部パネルは、前記第１の仕切りパネルに折り曲げ可能に接続されており、前記第１の仕切りパネルは、少なくとも１つの第３のストラットによって前記第１のボトムパネルに接続されており、前記第２の仕切りパネルは前記第２のボトムパネルに折り曲げ可能に接続されており、前記第２の端部パネルは少なくとも１つの第４のストラットによって前記第２の仕切りパネルに接続されている、請求項１８に記載のパッケージ。
【請求項２１】
前記少なくとも１つの第３のストラットは、前記少なくとも１つの第４のストラットに概ね重なり、前記少なくとも１つの第３のストラット及び前記少なくとも１つの第４のストラットのそれぞれは、前記トップパネルに対して斜めであり、
少なくとも前記第２の仕切りパネルは前記トップパネルに対して斜めであり、
前記少なくとも１つの第３のストラットは、少なくとも１つの第１の仕切り折り線に沿って前記第１の仕切りパネルに折り曲げ可能に接続されており、前記少なくとも１つの第４のストラットは、少なくとも１つの第２の仕切り折り線に沿って前記第２の仕切りパネルに折り曲げ可能に接続されており、前記少なくとも１つの第１の仕切り折り線及び前記少なくとも１つの第２の仕切り折り線は、前記トップパネルから離間しており、概ね横方向であり、かつ前記第１の列と前記第２の列との間に延びている、請求項２０に記載のパッケージ。
【請求項２２】
前記第２の底部構造部は、前記第２の仕切りパネルに折り曲げ可能に接続されている少なくとも１つの仕切りフラップを含み、該少なくとも１つの仕切りフラップの少なくとも一部は、前記少なくとも１つの第４のストラットに隣接して位置しており、
前記第１の内側保持機能部は、前記少なくとも１つの仕切りフラップにある第１の内側保持縁を含み、前記第１の外側保持機能部は、前記第１のサイドパネルにある第１の外側保持縁を含み、前記第１の内側保持縁及び前記第１の外側保持縁は前記少なくとも１つの第１の容器に隣接し、
前記第２の内側保持機能部は、前記第１の仕切りパネルにある第２の内側保持縁を含み、前記第２の外側保持機能部は、前記第２のサイドパネルにある第２の外側保持縁を含み、前記第２の内側保持縁及び前記第２の外側保持縁は前記少なくとも１つの第２の容器に隣接する、請求項２０に記載のパッケージ。
【請求項２３】
前記少なくとも１つの第１のストラットは少なくとも２つの第１のストラットを含み、前記少なくとも１つの第２のストラットは少なくとも２つの第２のストラットを含み、前記少なくとも１つの第３のストラットは少なくとも２つの第３のストラットを含み、前記少なくとも１つの第４のストラットは少なくとも２つの第４のストラットを含み、
前記少なくとも２つの第１のストラット、前記少なくとも２つの第３のストラット及び前記少なくとも２つの第４のストラットのそれぞれは、前記少なくとも１つの第１の容器に隣接する斜めの縁を含み、前記少なくとも２つの第２のストラットのそれぞれは、前記少なくとも１つの第２の容器に隣接する斜めの縁を含み、
前記第２の仕切りパネルは、前記少なくとも１つの第２の内側保持機能部と概ね位置合わせされるとともに前記少なくとも１つの第２の容器に隣接する少なくとも１つの弧状の縁を含む、請求項２２に記載のパッケージ。
【請求項２４】
前記第１のボトムパネル及び前記第２のボトムパネルのそれぞれは、２つの横方向縁を含み、
前記少なくとも１つの第１のストラットは、第１の横方向折り線に沿って前記第１のボトムパネルに折り曲げ可能に接続されており、前記少なくとも１つの第２のストラットは、第２の横方向折り線に沿って前記第２のボトムパネルに折り曲げ可能に接続されており、前記第１の横方向折り線及び前記第２の横方向折り線のそれぞれは、それぞれの前記第１のボトムパネル及び前記第２のボトムパネルのそれぞれの前記２つの横方向縁からそれぞれ離間しており、
前記第２の仕切りパネルは、少なくとも２つの第３の横方向折り線に沿って前記第２のボトムパネルに折り曲げ可能に接続されており、前記少なくとも２つの第３の横方向折り線は、前記第２のボトムパネルの前記２つの横方向縁から離間している、請求項１８に記載のパッケージ。
【請求項２５】
少なくとも１つの容器を少なくとも部分的に保持するキャリアを形成するブランクであって、前記少なくとも１つの容器は周縁部分と本体部分とを含み、該ブランクは、
トップパネルと、該トップパネルに折り曲げ可能に接続されている第１のサイドパネルと、前記トップパネルに折り曲げ可能に接続されている第２のサイドパネルと、少なくとも１つの第１のストラットによって前記第１のサイドパネルに接続されている第１のボトムパネルと、少なくとも１つの第２のストラットによって前記第２のサイドパネルに接続されている第２のボトムパネルと、
該ブランクから形成される前記キャリアの第１の保持機能部と反対側の第２の保持機能部とを含む少なくとも１つの容器収納部分を形成する収納機能部であって、前記第１の保持機能部及び前記第２の保持機能部のうちの少なくとも一方の少なくとも一部は、該ブランクから形成される前記キャリアの前記第１のサイドパネル又は前記第２のサイドパネルに位置し、前記第１の保持機能部及び前記第２の保持機能部のうちの少なくとも一方は、該ブランクから形成される前記キャリアに前記少なくとも１つの容器の前記周縁部分を少なくとも部分的に保持する、収納機能部と、
を備え、
前記第１のボトムパネル及び前記第２のボトムパネルのうちの少なくとも一方の少なくとも一部は、前記少なくとも１つの容器の上部と前記トップパネルとの間に少なくとも部分的に配置されるためのものである、少なくとも１つの容器を少なくとも部分的に保持するキャリアを形成するブランク。
【請求項２６】
請求項２５に記載のブランクであって、前記第１のサイドパネルは、第１の横方向折り線に沿って前記トップパネルに折り曲げ可能に接続されており、前記第２のサイドパネルは、第２の横方向折り線に沿って前記トップパネルに折り曲げ可能に接続されており、
前記収納機能部は、前記第１の横方向折り線から前記第１のサイドパネルに延びる少なくとも１つの第１の切れ目線と、前記第２の横方向折り線から前記第２のサイドパネルに延びる少なくとも１つの第２の切れ目線とを含み、前記少なくとも１つの第１の切れ目線は、該ブランクから形成される前記キャリアの前記第１のサイドパネルに第１の保持縁を有する第１の開口を含む前記第１の保持機能部の少なくとも一部を形成するためのものであり、前記少なくとも１つの第２の切れ目線は、前記ブランクから形成される前記キャリアの前記第２のサイドパネルに第２の保持縁を有する第２の開口を含む前記第２の保持機能部の少なくとも一部を形成するためのものである、ブランク。
【請求項２７】
前記少なくとも１つの第１のストラットは、第１の横方向折り線に沿って前記第１のサイドパネルに、及び第２の横方向折り線に沿って前記第１のボトムパネルに折り曲げ可能に接続されており、
前記少なくとも１つの第２のストラットは、第３の横方向折り線に沿って前記第２のサイドパネルに、及び第４の横方向折り線に沿って前記第２のボトムパネルに折り曲げ可能に接続されており、
前記第１のボトムパネル及び前記第２のボトムパネルのそれぞれは２つの横方向縁を含み、
前記第２の横方向折り線及び前記第４の横方向折り線のそれぞれは、それぞれの前記第１のボトムパネル及び前記第２のボトムパネルのそれぞれの前記２つの横方向縁からそれぞれ離間している、請求項２６に記載のブランク。
【請求項２８】
前記第１のサイドパネルは、前記少なくとも１つの第１の切れ目線から延びる少なくとも１つの第１の切れ目を含み、前記第２のサイドパネルは、前記少なくとも１つの第２の切れ目線から延びる少なくとも１つの第２の切れ目を含む、請求項２６に記載のブランク。
【請求項２９】
前記少なくとも１つの第１のストラットは、少なくとも１つの第１の外側ストラットと少なくとも１つの第１の内側ストラットとを含み、前記少なくとも１つの第２のストラットは、少なくとも１つの第２の外側ストラットと少なくとも１つの第２の内側ストラットとを含む、請求項２５に記載のブランク。
【請求項３０】
請求項２９に記載のブランクであって、該ブランクは、前記少なくとも１つの第１の外側ストラットに折り曲げ可能に接続されている少なくとも１つの第１の延長部と、前記少なくとも１つの第１の内側ストラットに折り曲げ可能に接続されている少なくとも１つの第２の延長部と、前記少なくとも１つの第２の外側ストラットに折り曲げ可能に接続されている少なくとも１つの第３の延長部と、前記少なくとも１つの第２の内側ストラットに折り曲げ可能に接続されている少なくとも１つの第４の延長部と、を更に含み、
前記少なくとも１つの第１の延長部、前記少なくとも１つの第２の延長部、前記少なくとも１つの第３の延長部、及び前記少なくとも１つの第４の延長部のそれぞれは、それぞれの湾曲している折り線に沿って、それぞれの前記少なくとも１つの第１の外側ストラット、前記少なくとも１つの第１の内側ストラット、前記少なくとも１つの第２の外側ストラット、及び前記少なくとも１つの第２の内側ストラットにそれぞれ折り曲げ可能に接続されており、前記湾曲している折り線のそれぞれの少なくとも一部は、前記少なくとも１つの容器の前記本体部分に隣接して配置される、ブランク。
【請求項３１】
請求項２５に記載のブランクであって、前記第１のボトムパネルは少なくとも１つの係止フラップを含み、前記第２のボトムパネルは少なくとも１つの係止孔を含み、前記少なくとも１つの係止フラップは、該ブランクから形成される前記キャリアにおいて、前記少なくとも１つの係止孔に少なくとも部分的に係合するためのものである、ブランク。
【請求項３２】
請求項３１に記載のブランクであって、該ブランクは、前記少なくとも１つの第１のストラットに折り曲げ可能に接続されている少なくとも１つの第１の延長部と、前記少なくとも１つの第２のストラットに折り曲げ可能に接続されている少なくとも１つの第２の延長部と、を更に含み、前記少なくとも１つの係止フラップの少なくとも一部は前記少なくとも１つの第１の延長部に隣接して位置しており、前記少なくとも１つの第１の延長部及び前記少なくとも１つの第２の延長部のそれぞれは、該ブランクから形成される前記キャリアにおいて前記少なくとも１つの容器の前記周縁部分の少なくとも一部に係合するためのものである延長部縁を含む、ブランク。
【請求項３３】
請求項３１に記載のブランクであって、前記少なくとも１つの係止フラップ及び前記少なくとも１つの係止孔は、該ブランクから形成される前記キャリアの前記少なくとも１つの容器収納部分と概ね位置合わせされるためのものである、ブランク。
【請求項３４】
請求項２５に記載のブランクであって、前記収納機能部は、該ブランクから形成される前記キャリアに一列に概ね位置合わせされる少なくとも２つの容器収納部分を形成するためのものである、ブランク。
【請求項３５】
請求項２５に記載のブランクであって、前記収納機能部は、該ブランクから形成される前記キャリアに、第１の列の少なくとも１つの第１の容器収納部分と、第２の列の少なくとも１つの第２の容器収納部分とを形成し、前記少なくとも１つの容器は、該ブランクから形成される前記キャリアの前記第１の列に少なくとも部分的に保持される少なくとも１つの第１の容器と、前記第２の列に少なくとも部分的に保持される少なくとも１つの第２の容器とを含む、ブランク。
【請求項３６】
請求項３５に記載のブランクであって、該ブランクは、第１の底部構造部と第２の底部構造部とを更に含み、前記第１の底部構造部は、前記第１のボトムパネルと、第１の仕切りパネルと、第１の端部パネルとを含み、前記第２の底部構造部は、前記第２のボトムパネルと、第２の仕切りパネルと、第２の端部パネルとを含む、ブランク。
【請求項３７】
請求項３６に記載のブランクであって、該ブランクから形成される前記キャリアにおいて、前記第１のボトムパネルは前記第２の端部パネルに少なくとも部分的に重なるためのものであり、前記第１の仕切りパネルは前記第２の仕切りパネルに少なくとも部分的に重なるためのものであり、前記第１の端部パネルは、前記第２のボトムパネルに少なくとも部分的に重なるためのものである、ブランク。
【請求項３８】
請求項３７に記載のブランクであって、前記第２のボトムパネルは少なくとも１つの係止フラップを含み、前記第１の仕切りパネルは少なくとも１つの係止孔を含み、前記少なくとも１つの係止フラップは、該ブランクから形成される前記キャリアにおいて前記少なくとも１つの係止孔に少なくとも部分的に係合するためのものであり、
前記第２の仕切りパネルは少なくとも１つの仕切り開口を含み、前記少なくとも１つの係止フラップは前記少なくとも１つの仕切り開口に隣接しており、
前記第１の仕切りパネルは前記係止孔に隣接している保持縁を含み、該保持縁は、該ブランクから形成される前記キャリアにおいて前記少なくとも１つの容器の前記周縁部分に隣接して配置される、ブランク。
【請求項３９】
前記第１の端部パネルは、前記第１の仕切りパネルに折り曲げ可能に接続されており、前記第１の仕切りパネルは、少なくとも１つの第３のストラットによって前記第１のボトムパネルに接続されており、前記第２の仕切りパネルは前記第２のボトムパネルに折り曲げ可能に接続されており、前記第２の端部パネルは少なくとも１つの第４のストラットによって前記第２の仕切りパネルに接続されている、請求項３７に記載のブランク。
【請求項４０】
前記少なくとも１つの第３のストラットは、少なくとも１つの第１の仕切り折り線に沿って前記第１のボトムパネルに折り曲げ可能に接続されており、前記少なくとも１つの第３のストラットは、少なくとも１つの第２の仕切り折り線に沿って前記第１の仕切りパネルに折り曲げ可能に接続されており、前記少なくとも１つの第４のストラットは、少なくとも１つの第３の仕切り折り線に沿って前記第２のボトムパネルに折り曲げ可能に接続されており、前記少なくとも１つの第４のストラットは、少なくとも１つの第４の仕切り折り線に沿って前記第２の仕切りパネルに折り曲げ可能に接続されている、請求項３９に記載のブランク。
【請求項４１】
請求項３９に記載のブランクであって、前記第２の底部構造部は、前記第２の仕切りパネルに折り曲げ可能に接続されている少なくとも１つの仕切りフラップを含み、該少なくとも１つの仕切りフラップの少なくとも一部は前記少なくとも１つの第４のストラットに隣接して位置しており、
前記少なくとも１つの仕切りフラップは第１の保持縁を含み、前記第１のサイドパネルは、該ブランクから形成される前記キャリアに第２の保持縁を形成する少なくとも１つの第１の切れ目線を含み、前記収納機能部は、該ブランクから形成される前記キャリアに、前記第１の保持縁及び前記第２の保持縁から前記少なくとも１つの第１の容器収納部分の少なくとも一部を形成し、
前記第１の仕切りパネルは第３の保持縁を含み、前記第２のサイドパネルは、該ブランクから形成される前記キャリアに第４の保持縁を形成する少なくとも１つの第２の切れ目線を含み、前記収納機能部は、該ブランクから形成される前記キャリアに、前記第３の保持縁及び前記第４の保持縁から前記少なくとも１つの第２の容器収納部分の少なくとも一部を形成するためのものである、ブランク。
【請求項４２】
前記少なくとも１つの第１のストラットは少なくとも２つの第１のストラットを含み、前記少なくとも１つの第２のストラットは少なくとも２つの第２のストラットを含み、前記少なくとも１つの第３のストラットは少なくとも２つの第３のストラットを含み、前記少なくとも１つの第４のストラットは少なくとも２つの第４のストラットを含み、
前記少なくとも２つの第１のストラット、前記少なくとも２つの第３のストラット及び前記少なくとも２つの第４のストラットのそれぞれは、前記少なくとも１つの第１の容器に隣接して配置される斜めの縁を含み、前記少なくとも２つの第２のストラットのそれぞれは、前記少なくとも１つの第２の容器に隣接して配置される斜めの縁を含み、
前記第２の仕切りパネルは、前記少なくとも１つの第２の容器に隣接して配置されるためのものである少なくとも１つの弧状の縁を含む、請求項４１に記載のブランク。
【請求項４３】
前記第１のボトムパネル及び前記第２のボトムパネルのそれぞれは、２つの横方向縁を含み、
前記少なくとも１つの第１のストラットは、第１の横方向折り線に沿って前記第１のボトムパネルに折り曲げ可能に接続されており、前記少なくとも１つの第２のストラットは、第２の横方向折り線に沿って前記第２のボトムパネルに折り曲げ可能に接続されており、前記第１の横方向折り線及び前記第２の横方向折り線のそれぞれは、それぞれの前記第１のボトムパネル及び前記第２のボトムパネルのそれぞれの前記２つの横方向縁からそれぞれ離間しており、
前記第２の仕切りパネルは、少なくとも２つの第３の横方向折り線に沿って前記第２のボトムパネルに折り曲げ可能に接続されており、前記少なくとも２つの第３の横方向折り線は前記第２のボトムパネルの前記２つの横方向縁から離間している、請求項３７に記載のブランク。
【請求項４４】
パッケージを形成する方法であって、
トップパネルと、該トップパネルに折り曲げ可能に接続されている第１のサイドパネルと、前記トップパネルに折り曲げ可能に接続されている第２のサイドパネルと、少なくとも１つの第１のストラットによって前記第１のサイドパネルに接続されている第１のボトムパネルと、少なくとも１つの第２のストラットによって前記第２のサイドパネルに接続されている第２のボトムパネルとを含むブランクを得ることと、
前記第１のボトムパネル及び前記第２のボトムパネルを、前記トップパネルに少なくとも部分的に重なるように位置決めすることと、
前記第１のボトムパネル及び前記第２のボトムパネルのうちの少なくとも一方の少なくとも一部が少なくとも１つの容器の上部と前記トップパネルとの間に少なくとも部分的に配置されるように前記少なくとも１つの容器を位置決めすることと、
前記第１のサイドパネル及び前記第２のサイドパネルのうちの少なくとも一方を内方へ折り曲げることによって少なくとも１つの容器収納部分を形成するとともに、第１の保持機能部及び反対側の第２の保持機能部とを形成することであって、前記少なくとも１つの容器の周縁部分が前記第１の保持機能部及び前記第２の保持機能部のうちの少なくとも一方によって少なくとも部分的に保持されるようにし、前記第１の保持機能部及び前記第２の保持機能部のうちの少なくとも一方の少なくとも一部は前記第１のサイドパネル又は前記第２のサイドパネル内に位置する、少なくとも１つの容器収納部分を形成するとともに、第１の保持機能部及び反対側の第２の保持機能部を形成することと、
を含む、パッケージを形成する方法。
【請求項４５】
前記第１の保持機能部は、前記第１のサイドパネルにある第１の開口と、前記第２のサイドパネルにある第２の開口とを含み、前記第１の開口は、隣接する第１の保持縁を含み、前記第２の開口は第２の保持縁を含み、
前記第１の保持機能部及び反対側の前記第２の保持機能部を形成することは、前記第１の保持縁及び前記第２の保持縁を前記少なくとも１つの容器の前記周縁部分に隣接して配置することを更に含む、請求項４４に記載の方法。
【請求項４６】
前記少なくとも１つの第１のストラットは少なくとも２つの第１のストラットを含み、前記少なくとも１つの第２のストラットは少なくとも２つの第２のストラットを含み、
前記ブランクは、前記少なくとも２つの第１のストラットの各ストラットに折り曲げ可能に接続されている少なくとも１つの第１の延長部と、前記少なくとも２つの第２のストラットの各ストラットに折り曲げ可能に接続されている少なくとも１つの第２の延長部と、を更に含み、前記少なくとも２つの第１のストラットの前記少なくとも１つの第１の延長部及び前記少なくとも２つの第２のストラットの前記少なくとも１つの第２の延長部のそれぞれは延長部縁を含み、
前記少なくとも１つの容器収納部分を形成することは、前記少なくとも２つの第１のストラットの前記少なくとも１つの第１の延長部及び前記少なくとも２つの第２のストラットの前記少なくとも１つの第２の延長部のそれぞれの少なくとも一部を、前記少なくとも１つの容器の本体部分と少なくとも部分的に対面接触させて配置することと、前記延長部縁のそれぞれの少なくとも一部を前記少なくとも１つの容器の前記周縁部分に隣接して位置決めすることと、を更に含む、請求項４４に記載の方法。
【請求項４７】
前記第１のボトムパネルは少なくとも１つの係止フラップを含み、前記第２のボトムパネルは少なくとも１つの係止孔を含み、前記第１のボトムパネル及び前記第２のボトムパネルを位置決めすることは、前記少なくとも１つの係止フラップの少なくとも一部を前記少なくとも１つの係止孔に少なくとも部分的に挿入することを更に含む、請求項４４に記載の方法。
【請求項４８】
前記ブランクは、第１の底部構造部と第２の底部構造部とを更に含み、前記第１の底部構造部は、前記第１のボトムパネルと、第１の仕切りパネルと、第１の端部パネルとを含み、前記第２の底部構造部は、前記第２のボトムパネルと、第２の仕切りパネルと、第２の端部パネルとを含み、
前記少なくとも１つの容器収納部分を形成することは、第１の列の少なくとも１つの第１の容器収納部分と、第２の列の少なくとも１つの第２の容器収納部分とを形成することを含み、
前記方法は、前記第１の底部構造部の少なくとも一部と前記第２の底部構造部の少なくとも一部とを含む仕切りを形成することを更に含み、該仕切りは、前記第１の列と前記第２の列との間に少なくとも部分的に配置され、
前記少なくとも１つの第１の容器収納部分及び前記少なくとも１つの第２の容器収納部分のそれぞれの前記第１の保持機能部を形成することは、少なくとも前記第１のサイドパネルにそれぞれの第１の外側保持機能部、及び少なくとも前記第２のサイドパネルに第２の外側保持機能部を形成することを含み、前記少なくとも１つの第１の容器収納部分及び前記少なくとも１つの第２の容器収納部分のそれぞれの前記第２の保持機能部を形成することは、前記仕切りの少なくとも一部において、それぞれの第１の内側保持機能部及び第２の内側保持機能部を形成することを含み、
前記少なくとも１つの容器を位置決めすることは、少なくとも１つの第１の容器を前記第１の列に少なくとも部分的に保持するように位置決めすることと、少なくとも１つの第２の容器を前記第２の列に少なくとも部分的に保持するように位置決めすることと、を含む、請求項４４に記載の方法。
【請求項４９】
前記第１の端部パネルは、前記第１の仕切りパネルに折り曲げ可能に接続されており、該第１の仕切りパネルは、少なくとも１つの第３のストラットによって前記第１のボトムパネルに接続されており、前記第２の仕切りパネルは前記第２のボトムパネルに折り曲げ可能に接続されており、前記第２の端部パネルは少なくとも１つの第４のストラットによって前記第２の仕切りパネルに接続されており、前記第１の仕切りパネルは、少なくとも１つの第１の仕切り折り線に沿って前記少なくとも１つの第３のストラットに折り曲げ可能に接続されており、前記第２の仕切りパネルは、少なくとも１つの第２の仕切り折り線に沿って前記少なくとも１つの第４のストラットに折り曲げ可能に接続されており、
前記仕切りを形成することは、前記第１の仕切りパネルを、前記第１の端部パネルから前記第１の仕切り折り線まで下方へ延びるように位置決めすることと、前記少なくとも１つの第３のストラットを、前記第１のボトムパネルから前記第１の仕切り折り線まで下方かつ斜めに延びるように位置決めすることと、前記第２の仕切りパネルを、前記第２のボトムパネルから前記第２の仕切り折り線まで下方及び斜めに延びるように位置決めすることと、前記少なくとも１つの第４のストラットを、前記第２の端部パネルから前記第２の仕切り折り線まで下方かつ斜めに延びるように位置決めすることと、を更に含む、請求項４８に記載の方法。
【発明の詳細な説明】
【技術分野】
【０００１】
本開示は、包括的には、飲料容器、缶、又は他のタイプの物品を保持及び供給するカートンに関する。本開示は、より詳細には、１つ又は複数の容器のフランジに取り付けられるカートンに関する。
【０００２】
［関連出願の相互参照］
本願は、２０１０年１２月３日付けで出願された米国仮特許出願第６１／４５８，９３１号の利益を主張する。
【０００３】
［参照による援用］
２０１０年１２月３日付けで出願された米国仮特許出願第６１／４５８，９３１号は、その開示全体が本明細書に提示されているかのように全ての目的で引用することにより本明細書の一部をなすものとする。
【発明の概要】
【０００４】
概して、本開示の一態様は、包括的には、少なくとも１つの容器を保持するキャリアを含むパッケージに関する。前記少なくとも１つの容器は周縁部分と本体部分とを含むことができる。前記キャリアは、トップパネルと、該トップパネルに折り曲げ可能に接続されている第１のサイドパネルと、前記トップパネルに折り曲げ可能に接続されている第２のサイドパネルと、少なくとも１つの第１のストラットによって前記第１のサイドパネルに接続されている第１のボトムパネルと、少なくとも１つの第２のストラットによって前記第２のサイドパネルに接続されている第２のボトムパネルと、を備える。キャリアは更に、第１の保持機能部と反対側の第２の保持機能部とを含む少なくとも１つの容器収納部分を備えることができる。前記第１の保持機能部及び前記第２の保持機能部のうちの少なくとも一方の少なくとも一部は、前記第１のサイドパネル又は前記第２のサイドパネルに位置する。前記少なくとも１つの容器の前記周縁部分は、前記第１の保持機能部及び前記第２の保持機能部のうちの少なくとも一方によって少なくとも部分的に保持されることができる。前記第１のボトムパネル及び前記第２のボトムパネルのうちの少なくとも一方の少なくとも一部は、前記少なくとも１つの容器の上部と前記トップパネルとの間に少なくとも部分的に配置される。
【０００５】
別の態様では、本開示は、包括的には、少なくとも１つの容器を少なくとも部分的に保持するキャリアを形成するブランクに関する。前記少なくとも１つの容器は周縁部分と本体部分とを含むことができる。ブランクは、トップパネルと、該トップパネルに折り曲げ可能に接続されている第１のサイドパネルと、前記トップパネルに折り曲げ可能に接続されている第２のサイドパネルと、少なくとも１つの第１のストラットによって前記第１のサイドパネルに接続されている第１のボトムパネルと、少なくとも１つの第２のストラットによって前記第２のサイドパネルに接続されている第２のボトムパネルと、を備える。ブランクは更に、該ブランクから形成される前記キャリアの第１の保持機能部と反対側の第２の保持機能部とを含む少なくとも１つの容器収納部分を形成する収納機能部を備えることができる。前記第１の保持機能部及び前記第２の保持機能部のうちの少なくとも一方の少なくとも一部は、該ブランクから形成される前記キャリアでは前記第１のサイドパネル又は前記第２のサイドパネル内に位置する。前記第１の保持機能部及び前記第２の保持機能部のうちの少なくとも一方は、該ブランクから形成される前記キャリアに前記少なくとも１つの容器の前記周縁部分を少なくとも部分的に保持するためのものである。前記第１のボトムパネル及び前記第２のボトムパネルのうちの少なくとも一方の少なくとも一部は、前記少なくとも１つの容器の上部と前記トップパネルとの間に少なくとも部分的に配置されるためのものである。
【０００６】
別の態様では、本開示は、包括的には、キャリアを組み立てる方法に関する。本方法は、トップパネルと、該トップパネルに折り曲げ可能に接続されている第１のサイドパネルと、前記トップパネルに折り曲げ可能に接続されている第２のサイドパネルと、少なくとも１つの第１のストラットによって前記第１のサイドパネルに接続されている第１のボトムパネルと、少なくとも１つの第２のストラットによって前記第２のサイドパネルに接続されている第２のボトムパネルとを含むブランクを得ることと、を含むことができる。本方法は更に、前記第１のボトムパネル及び前記第２のボトムパネルを、前記トップパネルに少なくとも部分的に重なるように位置決めすることと、
前記第１のボトムパネル及び前記第２のボトムパネルのうちの少なくとも一方の少なくとも一部が前記少なくとも１つの容器の上部と前記トップパネルとの間に少なくとも部分的に配置されるように前記少なくとも１つの容器を位置決めすることと、を含むことができる。本方法はまた、前記第１のサイドパネル及び前記第２のサイドパネルのうちの少なくとも一方を内方へ折り曲げることによって少なくとも１つの容器収納部分を形成するとともに、第１の保持機能部及び反対側の第２の保持機能部を形成することであって、前記少なくとも１つの容器の周縁部分が前記第１の保持機能部及び前記第２の保持機能部のうちの少なくとも一方によって少なくとも部分的に保持されるようにする、少なくとも１つの容器収納部分を形成するとともに、第１の保持機能部と反対側の第２の保持機能部とを形成することと、を含む。前記第１の保持機能部及び前記第２の保持機能部のうちの少なくとも一方の少なくとも一部は前記第１のサイドパネル又は前記第２のサイドパネル内に位置する。
【０００７】
本開示の他の態様、特徴及び詳細は、図面と組み合わせた以下の詳細な説明の参照からより完全に理解されることができる。
【０００８】
当業者は、添付図面を参照して実施形態の以下の詳細な説明を読むことによって、上記の利点、並びに種々の更なる実施形態の他の利点及び利益を理解するであろう。さらに、以下で説明する図面の種々の特徴は、必ずしも一定の縮尺比で描かれているとは限らない。図面における種々の特徴及び要素の寸法は、本開示の実施形態をより明確に示すために拡大又は縮小されている場合がある。
【図面の簡単な説明】
【０００９】
【図１】本開示の第１の実施形態によるパッケージを形成するのに用いられるブランクの平面図である。
【図２】本開示の第１の実施形態による部分的に形成されたパッケージの平面図である。
【図３】本開示の第１の実施形態による組み立てられたパッケージの底面図である。
【図４】図３のパッケージを底面から見た斜視図である。
【図５】図３のパッケージを上面から見た斜視図である。
【図６】図３のパッケージの端面図である。
【図７】本開示の第２の実施形態によるパッケージを形成するのに用いられるブランクの平面図である。
【図８】本開示の第２の実施形態による部分的に形成されたパッケージの斜視図である。
【図９】本開示の第２の実施形態による組み立てられたパッケージの底面斜視図である。
【図１０】本開示の第２の実施形態による組み立てられたパッケージの上面斜視図である。
【図１１】図１０のパッケージの端面図である。
【図１２】図１０のパッケージの端部の斜視図である。
【図１３】本開示の第３の実施形態によるパッケージを形成するのに用いられるブランクの平面図である。
【図１４】本開示の第４の実施形態によるパッケージを形成するのに用いられるブランクの平面図である。
【図１５】本開示の第４の実施形態による部分的に形成されたパッケージの平面図である。
【図１６】容器が配置されている、図１５の部分的に形成されたパッケージの底面図である。
【図１７】本開示の第４の実施形態による組み立てられたパッケージの底面斜視図である。
【図１８】２つの容器が省かれている、図１７のパッケージの底面斜視図である。
【図１９】２つの容器が省かれている、図１７のパッケージの底面斜視図である。
【図２０】本開示の第４の実施形態による組み立てられたパッケージの上面斜視図である。
【図２１】図２０のパッケージの端面図である。
【発明を実施するための形態】
【００１０】
対応する部分は、図面を通して対応する参照符号によって示されている。
【００１１】
本開示は、包括的に、カップ、ジャー、ボトル、缶等のような容器を保持して陳列するためのキャリア、構成物、スリーブ、カートン等、及びパッケージに関する。容器は、例えば、食品及び飲料製品を包装するために用いることができる。容器は、特定の食料品又は飲料品を包装するのに適した組成の材料から作ることができ、その材料は、ＰＥＴ、ＬＤＰＥ、ＬＬＤＰＥ、ＨＤＰＥ、ＰＰ、ＰＳ、ＰＶＣ、ＥＶＯＨ、及びナイロン等のプラスチック等、アルミニウム及び／又は他の金属、ガラス、又はそれらの任意の組み合わせを含むが、これらに限定されない。
【００１２】
図示の実施形態では、容器のそれぞれは、それぞれの容器の上端部に又は上端部付近にあるものとすることができる周縁部分を含むことができる。周縁部分は、１杯分のカップ（例えば図４〜図６の容器Ｃ１）から延びるフランジ、又は缶（例えば図１０〜図１２の容器Ｃ２）のへり等の周縁を含むことができる。容器の周縁部分は、本開示から逸脱することなく別様に構成するか又は省くことができる。
【００１３】
本開示によるキャリアは、多数の異なる形状の容器を収容することができる。本開示の範囲を限定する目的ではなく、説明する目的から、以下の詳細な説明では、キャリアの実施形態の中に少なくとも部分的に配置される食料製品容器（例えば、プラスチック容器又はアルミニウム缶）について説明する。本明細書において、「下側」、「ボトム」、「上側」、及び「トップ」という用語は、完全に組み立てられたキャリア又はパッケージに関して定められる向きを示す。
【００１４】
本実施形態は、容器に取り付け、容器を収容するためのキャリア又はパッケージを対象とする。カートン又はキャリア１５０が、図３〜図６においてその組み立てられた状態で示されており、これらの図においてカートン又はキャリアは容器Ｃ１に取り付けられ、パッケージ１６０を形成している。図示の実施形態では、容器Ｃ１は、概してフランジ部分Ｆを含む上部と下部すなわち本体Ｂとを有する１杯分のプラスチックカップとして示されているが、本開示から逸脱することなく他の容器をパッケージ１６０内に保持してもよい。
【００１５】
図１は、本開示の一実施形態によるカートン又はキャリア１５０を形成するのに用いられるブランク８の外面３の平面図である。ブランク８は、縦軸Ｌ１と横軸Ｌ２とを有する。図１に示されているように、ブランク８は、縦軸Ｌ１及び横軸Ｌ２を中心に全体的に又は部分的に対称であるものとすることができる。したがって、図面の特定の要素は、全体的な及び／又は部分的な対称性を反映するために共通の参照符号を共有する。
【００１６】
図１を参照すると、ブランク８は、第１の横方向折り線２１において第１のサイドパネル２０に折り曲げ可能に接続されているトップパネル１０と、第２の横方向折り線３１において第１のサイドパネル２０に折り曲げ可能に接続されている第１のボトムパネル３０と、第３の横方向折り線４１においてトップパネル１０に折り曲げ可能に接続されている第２のサイドパネル４０と、第４の横方向折り線５１において第２のサイドパネル４０に折り曲げ可能に接続されている第２のボトムパネル５０とを含む。
【００１７】
１つ又は複数の切れ目を、横方向折り線２１、３１、４１、５１のそれぞれに含めて、その折り線に沿って折ることを容易にすることができる。任意の数の切れ目を折り線のいずれにも形成することができるが、切れ目の数及び長さは、例えばブランク８を形成するのに用いられる材料のゲージ及び／又は硬さに従って選択することができる。折り線２１、３１、４１、５１は、本開示から逸脱することなく他の方法（例えば切れ目のない折り目線）によって形成することができる。
【００１８】
図示の実施形態では、ブランク８は、一列に配置されるそれぞれの容器収納部分１２を形成する２つの収納機能部を含む。各容器収納部分１２は、組み立てられたキャリア１５０内に保持される容器Ｃ１の上部を収納する形状及びサイズになっている。例示的な実施形態では、２つの容器Ｃ１は、組み立てられたキャリア１５０内に収容されて、１×２のパッケージ１６０を形成する。１×３、１×４又は２×２等の他のパッケージ構成も本開示の範囲内にある。各容器収納部分１２の収納機能部は、第１の横方向折り線２１を横切って延びる第１のタブ１６と、第１のタブ１６とは反対側の、第３の横方向折り線４１を横切って延びる第２のタブ１８とを含む。第１のタブ１６はそれぞれ、トップパネル１０内に延びてサイドパネル２０に入る引き裂き線又は切れ目線１７によって画定される。同様に、第２のタブ１８はそれぞれ、トップパネル１０内に延びてサイドパネル４０に入る引き裂き線又は切れ目線１９によって画定される。組み立てられたキャリアでは、タブ１６、１８はそれぞれの切れ目線１７、１９においてそれぞれのサイドパネル２０、４０から分離し、それぞれのサイドパネル２０、４０のそれぞれの下縁又は保持縁２５、４５を有する、反対側にある側部開口２２、４２の形態の保持機能部をそれぞれ形成する（図４〜図６）。各容器収納部分１２の側部開口２２、４２は、容器Ｃ１の対向する両側においてフランジＦと係合するためのものである。
【００１９】
図示の実施形態では、第１のボトムパネル３０は、２つの第１の外側ストラット３２及び第１の内側ストラット３４によって第１のサイドパネル２０に接続されている。開口３６が、各第１の外側ストラット３２と第１の内側ストラット３４との間に画定されている。開口３６は、第１のボトムパネル３０の内側縁３３と第１のサイドパネル２０の内側縁２３との間に更に画定することができる。各開口３６は、第１の外側ストラット３２及び第１の内側ストラット３４の少なくとも一部がそれぞれの容器収納部分の両側に配置されるようにそれぞれの容器収納部分１２と概ね位置合わせされている。第１のストラット３２、３４はそれぞれ、横方向折り線３１において第１のサイドパネル２０に、及び横方向折り線３５において第１のボトムパネル３０に折り曲げ可能に接続されている。図１に示されているように、横方向折り線３５は、第１のボトムパネル３０の横方向内側縁３３及び横方向外側縁３７から離間して第１のボトムパネル内に延びる。第１のストラット３２、３４は、斜めの切れ目線３９に沿って第１のボトムパネル３０から分離可能である。代替的な実施形態では、切れ目線３９は、引き裂き線、又は別の弱化形態であるものとすることができる。第１のストラットは概ね台形の形状を有することができ、この場合、折り線３５は、それぞれのストラットの、折り線３１においてサイドパネル２０に接続されている部分よりも短い。
【００２０】
図示の実施形態では、第２のボトムパネル５０は、２つの第２の外側ストラット５２及び第２の内側ストラット５４によって第２のサイドパネル４０に接続されている。開口５６が、各第２の外側ストラット５２と第２の内側ストラット５４との間に画定されている。開口５６は、第２のボトムパネル５０の内側縁５３と第２のサイドパネル４０の内側縁４３との間に更に画定することができる。各開口５６は、第２の外側ストラット５２及び第２の内側ストラット５４の少なくとも一部がそれぞれの容器収納部分１２の両側に配置されるようにそれぞれの容器収納部分と概ね位置合わせされている。第２の外側ストラット５２のそれぞれは、それぞれの第１の外側ストラット３２と更に概ね位置合わせされており、第２の内側ストラット５４は第１の内側ストラット３４と概ね位置合わせされている。第２のストラット５２、５４はそれぞれ、横方向折り線５１において第２のサイドパネル４０に、及び横方向折り線５５において第２のボトムパネル５０に折り曲げ可能に接続されている。図１に示されているように、横方向折り線５５は、第２のボトムパネル５０の横方向内側縁５３及び横方向外側縁５７から離間して第１のボトムパネル内に延びる。第２のストラット５２、５４は、斜めの切れ目線５９に沿って第２のボトムパネル５０から分離可能である。代替的な実施形態では、切れ目線５９は、引き裂き線、又は別の弱化形態であるものとすることができる。第２のストラットは概ね台形の形状を有することができ、この場合、折り線５５は、それぞれのストラットの、折り線５１においてサイドパネル４０に接続されている部分よりも短い。
【００２１】
代替的な実施形態では、２つ以上の内側ストラット３４、５４を内側ストラット及び外側ストラットの各セットに含めることができる。例えば、１つの列に４つの容器収納部分を有する代替的なキャリアが、外側ストラットの各セット間に位置する３つの内側ストラットを含むことができる。更なる代替形態では、キャリアは、１つの容器収納部分を含み、内側ストラットは含まないものとすることができる。
【００２２】
キャリア１５０を組み立ててパッケージ１６０を形成する例示的な方法を、図２〜図４を参照して以下で説明する。ブランク８の底面から見た図である図２に示されているように、ボトムパネル３０、５０がトップパネル１０の内面及びそれぞれのサイドパネル２０、４０の内面の少なくとも一部と対面接触するように、ボトムパネル３０、５０及びストラット３２、３４、５２、５４を矢印Ａ１の方向にそれぞれの折り線３１、５１に沿って折り曲げる。容器Ｃ１は、外側ストラット３２、５２とそれぞれの内側ストラット３４、５４との間で、容器収納部分１２のそれぞれにわたってボトムパネル３０、５０に配置することができる。サイドパネル２０、４０を、トップパネル１０に対して概ね垂直になるまで（図６）、それぞれの折り線２１、４１に沿って内方へ折り曲げ、ボトムパネル３０、５０を容器Ｃ１のフランジＦとトップパネル１０との間で内方へ摺動させることができる。サイドパネル２０、４０を内方へ折り曲げると、ストラット３２、３４及び５２、５４は、それぞれの折り線３１、３５及び５１、５５に沿って折り曲がってそれぞれのボトムパネル３０、５０からそれぞれの隣接するサイドパネル２０、４０に向かって上方かつ斜めに延びるため、切れ目線３９、５９においてそれぞれのボトムパネル３０、５０から分離して、斜めの縁６１を形成する。内側ストラット３４、５４は、縁６１が容器の本体Ｂの内側に近接するか又は隣接して延びている状態で容器Ｃ１間に部分的に延びる。外側ストラット３２、５２は、容器の本体Ｂの外側に近接するか又は隣接して延びる。
【００２３】
さらに、サイドパネル２０、４０を内方へ折り曲げると、トップパネル１０から延びるそれぞれのタブ１６、１８に隣接して、それぞれのサイドパネル２０、４０内に保持機能部（例えば側部開口２２、４２）が形成される。図３〜図６に示されているように、各容器Ｃ１のフランジＦは、それぞれの容器収納部分１２の側部開口２２、４２を通って延出し、このことは、容器Ｃ１をキャリア１５０内に保持してパッケージ１６０を形成するのを助ける。１つの実施形態によると、側部開口２２、４２は、側部開口のそれぞれの保持縁２５、４５が各容器のフランジＦを上方へ押してボトムパネル３０、５０をトップパネル１に押し付けるように配置されている。したがって、ストラット３２、３４、５２、５４はボトムパネル３０、５０とともに上方へ引っ張られ、それによって、サイドパネル２０、４０を容器Ｃ１の本体Ｂに対して内方へ押す（図３及び図４）。
【００２４】
したがって、図示の実施形態では、容器Ｃ１は、接着剤又は他の締結具を必要とすることなくキャリア１５０内に保持することができる。その代わりに、容器Ｃ１は、それぞれの側部開口２０、４０の保持縁２５、４５によってフランジＦが支持され、サイドパネル２０、４０によって本体Ｂが保持され、このことによって、本体Ｂをサイドパネル２０、４０間で押し挟むことができる。容器Ｃ１のうちの１つ又は複数をキャリア１５０から引き離す傾向にある何らかの力には、フランジＦに係合する保持縁２５、４５によって抗することができる。サイドパネル２０、４０のうちの一方又は双方を容器Ｃ１から引き離す傾向にある何らかの力には、それぞれのストラット３２、３４及び５２、５４を介してそれぞれのボトムパネル３０、５０によって抗することができ、ボトムパネルはフランジＦとトップパネル１０との間に保持される。代替的な実施形態では、キャリア１５０は、本開示から逸脱することなく別様に構成するか又は組み立てることができる。例えば、ボトムパネルのうちの一方又は双方をトップパネルに糊付けすることができる。
【００２５】
組み立てられたパッケージ１６０が図３〜図６に示されている。図示の実施形態では、キャリア１５０は端部が開口しており、サイドパネル２０、４０はトップパネル１０から概ね下方へ延びている。サイドパネル２０、４０は、容器Ｃ１の形状に少なくとも部分的に合致することもできる（例えば、サイドパネル２０、４０は、容器Ｃ１に隣接する湾曲部分を含むことができる）。ユーザーは、パッケージ１６０を運搬するために、キャリア１５０の、サイドパネル２０、４０の底縁又は開口端部を容易に把持することができる。代替的な実施形態では、１つ又は複数の端部パネルを、トップパネル１０、サイドパネル２０、４０、ボトムパネル３０、５０及び外側ストラット３２、５２の１つ又は複数に折り曲げ可能に接続することができる。
【００２６】
図７は、本開示の第２の実施形態によるカートン又はキャリア３５０を形成するブランク２０８の外面２０３を示している。この第２の実施形態は、言及される変形及び当業者には明らかであろう変形を除いて、第１の実施形態と概ね同様である。ブランク２０８は縦軸Ｌ１と横軸Ｌ２とを有する。キャリア３５０が、図９〜図１２においてその組み立てられた状態で示されており、これらの図においてキャリアは容器Ｃ２の上部に取り付けられ、パッケージ３６０を形成している。図示の実施形態では、容器Ｃ２は、概してリッジ又はへりＲ（図１１及び図１２）の形態の周縁を含む上部と下部すなわち本体Ｂとを有するアルミニウム缶として示されているが、本開示から逸脱することなく他の容器をパッケージ３６０内に保持してもよい。
【００２７】
図７を参照すると、ブランク２０８は、第１の横方向折り線２２１において第１のサイドパネル２２０に折り曲げ可能に接続されているトップパネル２１０と、第２の横方向折り線２３１において第１のサイドパネル２２０に折り曲げ可能に接続されている第１のボトムパネル２３０と、第３の横方向折り線２４１においてトップパネル２１０に折り曲げ可能に接続されている第２のサイドパネル２４０と、第４の横方向折り線２５１において第２のサイドパネル２４０に折り曲げ可能に接続されている第２のボトムパネル２５０とを含む。
【００２８】
１つ又は複数の切れ目を、横方向折り線２２１、２３１、２４１、２５１のそれぞれに含めて、その折り線に沿って折ることを容易にすることができる。任意の数の切れ目を折り線のいずれにも形成することができるが、切れ目の数及び長さは、例えばブランク２０８を形成するのに用いられる材料のゲージ及び／又は硬さに従って選択することができる。折り線２２１、２３１、２４１、２５１は、本開示から逸脱することなく他の方法（例えば切れ目のない折り目線）によって形成することができる。
【００２９】
図示の実施形態では、ブランク２０８は、一列に配置される２つの容器収納部分２１２を形成する収納機能部を含む。各容器収納部分２１２は、組み立てられたキャリア３５０内に保持される容器Ｃ２の上部を収納する形状及びサイズになっている。例示的な実施形態では、２つの容器Ｃ２は、組み立てられたキャリア３５０内に収容されて、１×２のパッケージ３６０を形成する。１×３、１×４又は２×２等の他のパッケージ構成も本開示の範囲内にある。各容器収納部分２１２の収納機能部は、第１の横方向折り線２２１を横切って延びる第１のタブ２１６と、第１のタブ２１６とは反対側の、第３の横方向折り線２４１を横切って延びる第２のタブ２１８とを含む。第１のタブ２１６はそれぞれ、トップパネル２１０内に延びてサイドパネル２２０に入る引き裂き線又は切れ目線２１７によって画定される。同様に、第２のタブ２１８はそれぞれ、トップパネル２１０内に延びてサイドパネル２４０に入る引き裂き線又は切れ目線２１９によって画定される。組み立てられたキャリア３５０では、タブ２１６、２１８はそれぞれの切れ目線２１７、２１９においてそれぞれのサイドパネル２２０、２４０から分離して、それぞれのサイドパネル２２０、２４０のそれぞれの下縁又は保持縁２２５、２４５を有する、反対側にある側部開口２２２、２４２の形態の保持機能部をそれぞれ形成する（図９、図１０及び図１２）。各容器収納部分２１２の側部開口２２２、２４２は、容器Ｃ２の反対の側面においてへりＲと係合するためのものである。
【００３０】
図７に示されているように、２つの斜めの切れ目２２７が第１のサイドパネル２２０において切れ目線２１７のそれぞれから延びることができ、２つの斜めの切れ目２４７が第２のサイドパネル２４０において切れ目線２１９のそれぞれから延びる。切れ目２２７、２４７は、それぞれのサイドパネル２２０、２４０がそれぞれの開口２２２、２４２に近接して容器Ｃ２の形状により良く合致して、容器のへりＲと係合するそれぞれの開口の保持縁２２５、２４５の量を最大にすることを可能にする。切れ目２２７、２４７は、本開示の範囲から逸脱することなく代替的に構成するか又は省くことができる。
【００３１】
図示の実施形態では、第１のボトムパネル２３０は、２つの第１の外側ストラット２３２及び第１の内側ストラット２３４によって第１のサイドパネル２２０に接続されている。開口２３６が、各第１の外側ストラット２３２と第１の内側ストラット２３４との間に画定されている。開口２３６は、第１のボトムパネル２３０の内側縁２３３と第１のサイドパネル２２０の内側縁２２３との間に更に画定することができる。各開口２３６は、第１の外側ストラット２３２及び第１の内側ストラット２３４の少なくとも一部がそれぞれの容器収納部分の両側に配置されるようにそれぞれの容器収納部分２１２と概ね位置合わせされている。第１のストラット２３２、２３４はそれぞれ、横方向折り線２３１において第１のサイドパネル２２０に、及び横方向折り線２３５において第１のボトムパネル２３０に折り曲げ可能に接続されている。図７に示されているように、横方向折り線２３５は、第１のボトムパネル２３０の横方向内側縁２３３及び横方向外側縁２３７から離間して第１のボトムパネル内に延びる。
【００３２】
図７に示されているように、第１の外側ストラット２３２はそれぞれ、湾曲している折り線２３９ａにおいてそれぞれの外側ストラットに接続されているとともに切れ目線２３９ｂに沿って第１のボトムパネル２３０から分離可能な延長部２３８を含む。同様に、第１の内側ストラット２３４は、湾曲している折り線２３９ａにおいて内側ストラットの両側に接続されているとともに切れ目線２３９ｂに沿って第１のボトムパネル２３０から分離可能な２つの延長部２３８を含むことができる。代替的な実施形態では、切れ目線２３９ｂは、引き裂き線又は別の弱化形態であるものとすることができる。さらに、ストラット２３２、２３４及び延長部２３８は、本開示の範囲から逸脱することなく代替的に構成するか又は省くことができる。
【００３３】
第２のボトムパネル２５０は、２つの第２の外側ストラット２５２及び第２の内側ストラット２５４によって第２のサイドパネル２４０に接続されている。開口２５６が、各第２の外側ストラット２５２と第２の内側ストラット２５４との間に画定されている。開口２５６は、第２のボトムパネル２５０の内側縁２５３と第２のサイドパネル２４０の内側縁２４３との間に更に画定することができる。各開口２５６は、第２の外側ストラット２５２及び第２の内側ストラット２５４の少なくとも一部がそれぞれの容器収納部分の両側に配置されるようにそれぞれの容器収納部分２１２と概ね位置合わせされている。第２の外側ストラット２５２のそれぞれは、それぞれの第１の外側ストラット２３２と更に概ね位置合わせされており、第２の内側ストラット２５４は第１の内側ストラット２３４と概ね位置合わせされている。第２のストラット２５２、２５４はそれぞれ、横方向折り線２５１において第２のサイドパネル２４０に、及び横方向折り線２５５において第２のボトムパネル２５０に折り曲げ可能に接続されている。図７に示されているように、横方向折り線２５５は、第２のボトムパネル２５０の横方向内側縁２５３及び横方向外側縁２５７から離間して第１のボトムパネル内に延びる。
【００３４】
図７に示されているように、第２の外側ストラット２５２はそれぞれ、湾曲している折り線２５９ａにおいてそれぞれの外側ストラットに接続されているとともに切れ目線２５９ｂに沿って第１のボトムパネル２５０から分離可能な延長部２５８を含む。同様に、第２の内側ストラット２５４は、湾曲している折り線２５９ａにおいて内側ストラットの両側に接続されているとともに切れ目線２５９ｂに沿って第１のボトムパネル２５０から分離可能な２つの延長部２５８を含むことができる。代替的な実施形態では、切れ目線２５９ｂは、引き裂き線又は別の弱化形態であるものとすることができる。さらに、ストラット２５２、２５４及び延長部２５８は、本開示の範囲から逸脱することなく代替的に構成するか又は省くことができる。
【００３５】
図７に示されているような第２の実施形態によると、第２のボトムパネル２５０は、折り線２５５から縁２５７まで長手方向Ｌ１に、第１のボトムパネル２３０の、折り線２３５と縁２３７との間に長手方向Ｌ１に延びる距離Ｄ２よりも長い距離Ｄ１を延びる。したがって、第１のボトムパネルを含む係止機能部が、開口２３６のそれぞれに隣接する係止フラップ２６２を含むことができ、第２のボトムパネルは、それぞれの係止フラップ２６２と概ね位置合わせされる２つの対応する係止孔２６４を含むことができる。したがって、第１のボトムパネル２３０は第２のボトムパネル２５０に重なることができ、係止フラップ２６２は、それぞれの係止孔２６４に係合して（図８）ボトムパネル同士を係止させることができる。
【００３６】
キャリア３５０を組み立ててパッケージ３６０を形成する例示的な方法を、図８〜図１２を参照して以下で説明する。ブランク２０８の底面から見た図である図８に示されているように、ボトムパネル２３０、２５０及びストラット２３２、２３４、２５２、２５４を、第１のボトムパネル２３０が第２のボトムパネル２５０に少なくとも部分的に重なるようにそれぞれの折り線２３１、２５１に沿って折り曲げる。第１のボトムパネル２３０の係止タブ２６２を第２のボトムパネル２５０の係止孔２６４に挿入する。１つの実施形態では、第１のボトムパネル２３０は、係止フラップ２６２を係止孔２６４に最初に挿入すると第２のボトムパネル２５０から下方へ延びることができ、次に、係止フラップ２６２を挿入するにつれて回動して第２のボトムパネル２５０と対面接触することができる。容器Ｃ２を、外側ストラット２３２、２５２と内側ストラット２３４、２５４との間で、容器収納部分２１２のそれぞれにわたってボトムパネル２３０、２５０に配置することができる。各容器Ｃ２のへりＲは、湾曲している折り線２３９ａ内で延長部２３８、２５８を覆うことができる。サイドパネル２２０、２４０を、容器Ｃ２をトップパネル２１０に向かって押してボトムパネル２３０、２５０をトップパネル２１０に押し付けながら、それぞれの折り線２２１、２４１に沿って内方へ折り曲げることができる。サイドパネル２２０、２４０を内方へ折り曲げると、ストラット２３２、２３４及び２５２、２５４が、それぞれの折り線２３１、２３５及び２５１、２５５に沿って折り曲がってボトムパネルと隣接するサイドパネルとの間に延びるにつれて、切れ目線２３９ｂにおいてそれぞれのボトムパネル２３０、２５０から分離して、斜めの縁２６１を形成する。内側ストラット２３４、２５４は、容器Ｃ２の本体Ｂの内側に近接して又は隣接して容器間に部分的に延びる。外側ストラット２３２、２５２は、容器の本体Ｂの外側に近接して又は隣接して延びる。延長部２３８、２５８は、容器がトップパネル２１０に向かって押されるにつれて本体Ｂによってそれぞれのサイドパネル２２０、２４０に向かって押される（図１１及び図１２）。
【００３７】
さらに、サイドパネル２２０、２４０を内方へ折り曲げると、トップパネル２１０から延びるそれぞれのタブ２１６、２１８に隣接して、それぞれのサイドパネル２２０、２４０内に保持機能部（例えば側部開口２２２、２４２）が形成される。各容器Ｃ２のへりＲが開口２２２、２４２に係合すると、それぞれの保持縁２２５、２４５は各へりＲの下面の外側部分に係合し（図１１及び図１２）、延長部２３８、２５８の縁２６１はへりＲの下面の内側部分に更に係合する（図１１及び図１２）。組み立てられたキャリア３５０が容器Ｃ２の上部に固定されている状態のパッケージ３６０が図９〜図１２に示されている。第１の実施形態と同様に、側部開口２２２、２４２は、それぞれの保持縁２２５、２４５が各容器のへりＲを上方へ押してボトムパネル２３０、２５０をトップパネル２１０に押し付けるように配置されている。したがって、ストラット２３２、２３４、２５２、２５４はボトムパネル２３０、２５０とともに上方へ引っ張られ、それによって、サイドパネル２２０、２４０を容器Ｃ２の本体Ｂに対して内方へ押す（図９及び図１１）。
【００３８】
したがって、図示の実施形態では、容器Ｃ２は、接着剤又は他の締結具を必要とすることなくキャリア３５０内に保持することができる。その代わりに、容器Ｃ２は、それぞれの側部開口２２０、２４０の保持縁２２５、２４５によってへりＲが支持され、サイドパネル２２０、２４０によって本体Ｂが保持され、このことによって、本体Ｂをサイドパネル２２０、２４０間で押し挟むことができる。容器Ｃ２のうちの１つ又は複数をキャリア３５０から引き離す傾向にある何らかの力には、へりＲに係合する保持縁２２５、２４５及び延長部２３８、２５８の縁２６１によって抗する。サイドパネル２２０、２４０のうちの一方又は双方を容器Ｃ２から引き離す傾向にある何らかの力には、それぞれのストラット２３２、２３４及び２５２、２５４を介してそれぞれのボトムパネル２３０、２５０によって抗することができ、ボトムパネルはへりＲとトップパネル２１０との間に保持される。係止フラップ２６２と係止孔２６４との係合は、ボトムパネル２３０、２５０が互いからそれぞれのサイドパネル２２０、２４０に向かって離れることを防止するのを助ける。したがって、係止機能部は、容器Ｃ２から離れるサイドパネル２２０、２４０の移動に更に抗することができる。
【００３９】
組み立てられたパッケージ３６０が図９〜図１２に示されている。図示の実施形態では、キャリア３５０は端部が開口しており、サイドパネル２２０、２４０はトップパネル２１０から概ね下方へ延びている。サイドパネル２２０、２４０は、容器Ｃ２の形状に少なくとも部分的に合致することもでき、容器Ｃ２の本体Ｂの形状に少なくとも部分的に合致する湾曲部分を含むことができる。したがって、サイドパネル２２０、２４０は、側壁が本体に合致しない場合よりも多くの部分が本体Ｂに接触し、保持縁２２５、２４５のより多くの部分がへりＲに接触して容器Ｃ２を更に保持することができる。ユーザーは、パッケージ３６０を運搬するために、キャリア３５０の、サイドパネル２２０、２４０の底縁又は開口端部を容易に把持することができる。代替的な実施形態では、１つ又は複数の端部パネルを、トップパネル２１０、サイドパネル２２０、２４０、ボトムパネル２３０、２５０及び外側ストラット２３２、２５２の１つ又は複数に折り曲げ可能に接続することができる。
【００４０】
図１３は、本開示の第３の実施形態によるカートン又はキャリア（図示せず）を形成するブランク４０８の外面４０３を示している。この第３の実施形態は、言及される変形及び当業者には明らかであろう変形を除いて、第２の実施形態と概ね同様である。図１３に示されているように、ブランク４０８は、１つの列に配置される３つの容器収納部分２１２を含む。したがって、ブランクは、第１の外側ストラット２３２間に２つの第１の内側ストラット２３４を含み、第２の外側ストラット２５２間に２つの第２の内側ストラット２５４を含む。さらに、第１のボトムパネル２３０は、３つの開口２３６に隣接する３つの係止フラップ２６２を含むことができ、第２のボトムパネル２５０は、係止フラップ２６２と位置合わせされる３つの係止孔２６４を含むことができる。組み立てられたキャリアは、それぞれの容器収納部分２１２に３つの容器Ｃ２を保持することができる。ブランク４０８は、本開示の範囲から逸脱することなく、代替的な形状、配置及び／又は構成にすることができる。
【００４１】
図１４は、本開示の第４の実施形態によるカートン又はキャリア７５０を形成するブランク６０８の外面６０３を示している。この第４の実施形態は、言及される変形及び当業者には明らかであろう変形を除いて、第１の実施形態と概ね同様である。ブランク６０８は縦軸Ｌ１と横軸Ｌ２とを有する。キャリア７５０が、図１７〜図２１においてその組み立てられた状態で示されており、これらの図においてキャリアは容器Ｃ１の上部に取り付けられ、パッケージ７６０を形成している。容器Ｃ１は、（例えば図３〜図６を参照して）上記で第１の実施形態において図示及び記載した容器Ｃ１と同一であるか又は同様であるものとすることができるが、本開示から逸脱することなく他の容器をパッケージ７６０内に保持してもよい。例示的な実施形態では、４つの容器Ｃ１を、組み立てられたキャリア７５０内に収容して２×２のパッケージ７６０を形成することができる。２×３、２×４、又は２×１等のような他のパッケージ構成も本開示の範囲内にある。図１８及び図１９では、組み立てられたキャリア７５０における底部構造部の相互作用を示すために、４つの容器収納部分６１２に２つの容器Ｃ１のみが収容されている。
【００４２】
図１４を参照すると、ブランク６０８は、第１の横方向折り線６２１において第１のサイドパネル６２０に折り曲げ可能に接続されているトップパネル６１０と、第２の横方向折り線６３１において第１のサイドパネル６２０に折り曲げ可能に接続されている第１の底部構造部６７０と、第３の横方向折り線６４１においてトップパネル６１０に折り曲げ可能に接続されている第２のサイドパネル６４０と、第４の横方向折り線６５１において第２のサイドパネル６４０に折り曲げ可能に接続されている第２の底部構造部６７２とを含む。
【００４３】
１つ又は複数の切れ目を、横方向折り線６２１、６３１、６４１、６５１のそれぞれに含めて、その折り線に沿って折ることを容易にすることができる。任意の数の切れ目を折り線のいずれにも形成することができるが、切れ目の数及び長さは、例えばブランク６０８を形成するのに用いられる材料のゲージ及び／又は硬さに従って選択することができる。折り線６２１、６３１、６４１、６５１は、本開示から逸脱することなく他の方法（例えば切れ目のない折り目線）によって形成することができる。
【００４４】
図示の実施形態では、ブランク６０８は、キャリア７５０に保持機能部を形成する収納機能部を含む。収納機能部は、第１の横方向折り線６２１を横切って延びる２つの第１のタブ６１６と、それぞれの第１のタブ６１６とは反対側の、第３の横方向折り線６４１を横切って延びる２つの第２のタブ６１８とを含むことができる。第１のタブ６１６はそれぞれ、トップパネル６１０内に延びてサイドパネル６２０に入る引き裂き線又は切れ目線６１７によって画定される。同様に、第２のタブ６１８はそれぞれ、トップパネル６１０内に延びてサイドパネル６４０に入る引き裂き線又は切れ目線６１９によって画定される。組み立てられたキャリアでは、タブ６１６、６１８はそれぞれの切れ目線６１７、６１９においてそれぞれのサイドパネル６２０、６４０から分離して、それぞれのサイドパネル６２０、６４０のそれぞれの下縁又は保持縁６２５、６４５を有する、反対側にある側部開口６２２、６４２の形態の保持機能部をそれぞれ形成する（図１８〜図２０）。トップパネル６１０は、パッケージ７６０を運搬するための指穴６１４を更に含むことができる。代替的には、指穴６１４は本開示の範囲から逸脱することなく省くことができる。
【００４５】
図示の実施形態では、第１の底部構造部６７０は、第１のボトムパネル６３０と、第１の仕切りパネル６７４と、第１の端部パネル６７６とを含むことができる。第１のボトムパネル６３０は、２つの第１の外側ストラット６３２及び第１の内側ストラット６３４によって第１のサイドパネル６２０に接続されている。開口６３６が各第１の外側ストラット６３２と第１の内側ストラット６３４との間に画定されている。開口６３６は、第１のボトムパネル６３０の第１の縁６３３と第１のサイドパネル６２０の内側縁６２３との間に更に画定することができる。第１のストラット６３２、６３４はそれぞれが、横方向折り線６３１において第１のサイドパネル６２０に、及び横方向折り線６３５において第１のボトムパネル６３０に折り曲げ可能に接続されている。図１４に示されているように、横方向折り線６３５は、第１のボトムパネル６３０の第１の縁６３３及び第２の縁６３７から離間して第１のボトムパネル内に延びる。第１のストラット６３２、６３４は、斜めの切れ目線６３９に沿って第１のボトムパネル６３０から分離可能である。代替的な実施形態では、切れ目線６３９は、引き裂き線、又は別の弱化形態であるものとすることができる。第１のストラットは概ね台形の形状を有することができ、この場合、折り線６３５は、それぞれのストラットの、折り線６３１においてサイドパネル６２０に接続されている部分よりも短い。
【００４６】
第１の仕切りパネル６７４は、２つの第２の外側ストラット６７８及び第２の内側ストラット６８０によって第１のボトムパネル６３０に接続することができる。第２のストラット６７８、６８０は、それぞれの第１のストラット６３２、６３４と概ね位置合わせされており、それぞれの第１のストラット６３２、６３４と同様又は同一の形状になっている。第２のストラット６７８、６８０は、横方向折り線６７９において第１のボトムパネル６３０に、及び横方向折り線６７５において第１の仕切りパネル６７４に折り曲げ可能に接続されている。開口６８２を第２のストラット６７８、６８０間に画定することができる。第１の端部パネルは、横方向折り線６７７において第１の仕切りパネルに折り曲げ可能に接続されており、第１の仕切り開口６８４を、第１の端部パネル６７６と、折り線６７７を中断する第１の仕切りパネル６７４の２つの保持縁６８５のそれぞれとの間に画定することができる。開口６８６を、第１の仕切りパネル６７４と第１の端部パネル６７６との間に画定することもできる。
【００４７】
図１４に示されているように、第２の底部構造部６７２は、第２のボトムパネル６５０と、第２の仕切りパネル６８８と、第２の端部パネル６９０とを含むことができる。第２のボトムパネル６５０は、２つの第３の外側ストラット６５２及び第３の内側ストラット６５４によって第２のサイドパネル６４０に接続されている。開口６５６が各第３の外側ストラット６５２と第３の内側ストラット６５４との間に画定されている。開口６５６は、第２のボトムパネル６５０の内側縁６５３と第２のサイドパネル６４０の内側縁６４３との間に更に画定することができる。第３の外側ストラット６５２のそれぞれは、それぞれの第１の外側ストラット６３２と更に概ね位置合わせされており、第３の内側ストラット６５４は第１の内側ストラット６３４と概ね位置合わせされている。第３のストラット６５２、６５４はそれぞれが、横方向折り線６５１において第２のサイドパネル６４０に、及び横方向折り線６５５において第２のボトムパネル６５０に折り曲げ可能に接続されている。図１４に示されているように、横方向折り線６５５は、第１のボトムパネル６５０の内側縁６５３及び外側縁６５７から離間して第２のボトムパネル６５０内に延びる。第３のストラット６５２、６５４は、斜めの切れ目線６５９に沿って第２のボトムパネル６５０から分離可能である。代替的な実施形態では、切れ目線６５９は、引き裂き線、又は別の弱化形態であるものとすることができる。第３のストラットは概ね台形の形状を有し、この場合、折り線６５５は、それぞれのストラットの、折り線６５１においてサイドパネル６４０に接続されている部分よりも短い。
【００４８】
第２の仕切りパネル６８８は、第２の仕切りパネル６８８と第２のボトムパネル６５０との間に開口６９２を形成する２つの弧状の縁６８７を含むことができる。弧状の縁６８７は、第２の仕切りパネルの２つの外側ストラット部分６９４及び内側ストラット部分６９６も形成する。第２の仕切りパネル６８８は、横方向折り線６８９によって第２のボトムパネル６５０に接続することができる。ストラット部分６９４、６９６は、それぞれの第３のストラット６５２、６５４と概ね位置合わせされている。第２の仕切りパネル６８８は、２つの第４の外側ストラット６９８及び第４の内側ストラット６９９によって第２の端部パネル６９０に接続することができる。第４のストラット６９８、６９９は、横方向折り線６９３において第２の仕切りパネル６８８に、及び横方向折り線６９５において第２の端部パネル６９０に折り曲げ可能に接続されており、この横方向折り線６９５は、第２の端部パネル６９０内に延びるとともに第２の端部パネルの横方向に延びる縁から離間している。２つの仕切りフラップ７０２が、横方向折り線６９３において第２の仕切りパネル６８８に折り曲げ可能に接続されることができ、それぞれの第４の外側ストラット６９８と第４の内側ストラット６９９との間を第２の端部パネル６９０まで延びることができる。第２の仕切り開口７０４を、仕切りフラップ７０２のそれぞれの保持縁７０５と第２の端部パネル６９０との間に画定することができる。仕切りフラップ７０２は、切れ目線７０３又は他の弱化形態に沿って第２の端部パネル６９０から更に分離することができる。さらに、切れ目線７０７がストラット６９８、６９９のそれぞれとそれぞれの仕切りフラップ７０２との間に延びることができる。仕切りフラップは、本開示の範囲から逸脱することなく代替的に構成するか又は省くことができる。
【００４９】
図１４に示されているように、２つの係止タブ６６２が、第１の仕切りパネル６７４の保持縁６８５において第１の底部構造部６７０の第１の仕切り開口６８４と係合するように、第２のボトムパネル６５０から延びることができる。係止タブ６６２と仕切り開口６８４との係合は、組み立てられたキャリア７５０において第１の底部構造部６７０と第２の底部構造部６７２とを噛み合わせるのを助ける。
【００５０】
代替的な実施形態では、２つ以上の内側ストラット６３４、６５４、６８０、６９６、６９９を内側ストラット及び外側ストラットの各セットに含めることができる。例えば、２つの列に６つの容器を保持するように構成されている代替的なキャリアが、外側ストラットの各セット間に位置する２つの内側ストラットを含むことができる。更なる代替形態では、キャリアは、１つの列に２つの容器を保持するように構成することができ、内側ストラットは省くことができる。
【００５１】
キャリア７５０を組み立ててパッケージ７６０を形成する例示的な方法を、図１５〜図１９を参照して以下で説明する。図１５〜図１９では、ブランク６０８及びキャリア７５０は、パッケージ７６０を形成するために、またキャリア７５０の機能部を示すために上下逆にして配置されている。図１５に示されているように、第１の底部構造部６７０は、トップパネル６１０及び第１のサイドパネル６２０に概ね重なるとともにトップパネル６１０及び第１のサイドパネル６２０に対面接触するように横方向折り線６３１に沿って折り曲げられている。同様に、第２の底部構造部６７２は、トップパネル６１０、第２のサイドパネル６４０及び第１の底部構造部６７０に概ね重なるように横方向折り線６５１に沿って折り曲げられている。図示の実施形態では、第２のボトムパネル６５０は第１の端部パネル６７６に概ね重なっており、第２の端部パネル６９０は第１のボトムパネル６３０に概ね重なっている。第２の端部パネル６９０の自由縁６９１が第１のボトムパネル６３０を覆っている（図１５）。また、係止タブ６６２は、第１の仕切りパネル６７４の仕切り開口６８４及び保持縁６８５と位置合わせすることができ、第４のストラット６９８、６９９はそれぞれの第２のストラット６７８、６８０に概ね重なることができる。したがって、底部構造部６７０、６７２は、それぞれの列７１２ａ、７１２ｂに配置される容器収納部分６１２ａ、６１２ｂを形成する。
【００５２】
図１６に示されているように、容器Ｃ１は、各外側ストラット６３２、６５２、６７８、６９４、６９８とそれぞれの内側ストラット６３４、６５４、６８０、６９６、６９９との間で、容器収納部分６１２ａ、６１２ｂのそれぞれにわたって底部構造部６７０、６７２に配置される。サイドパネル６２０、６４０を、トップパネル６１０に対して概ね垂直になるまで（図１７）、それぞれの折り線６２１、６４１に沿って内方へ折り曲げて、底部構造部６７０、６７２を内方へ摺動させることができ、底部構造部６７０、６７２が第１の列７１２ａと第２の列７１２ｂとの間に延びる仕切り７１４を形成する。サイドパネル６２０、６４０を内方へ折り曲げると、ストラット６３２、６３４、６５２、６５４が、それぞれの折り線６３１、６３５及び６５１、６５５に沿って折り曲がってボトムパネルと隣接するサイドパネルとの間に延びるにつれて、切れ目線６３９、６５９においてそれぞれのボトムパネル６３０、６５０から分離する。サイドパネルを折り曲げることによって、ボトムパネル６５０がストラット６５２、６５４によって内方へ押されるにつれて底部構造部６７０、６７２に仕切り７１４を更に形成し、係止タブ６６２は、第１の仕切りパネル６７４の底縁６８５と係合し、それによって、仕切りパネル６７４、６８８が横方向折り線６７５、６９３に沿って折り曲がり、容器Ｃ１間でトップパネル６１０から離れるように回動する。仕切り７１４が形成されると、第２の仕切りパネル６８８のストラット部分６９４、６９６が第２のボトムパネル６５０から分離し、第４のストラット６９８、６９９が第２の端部パネル６９０から分離する。第２の端部パネル６９０は、第４の内側ストラット６９９が端部パネルから分離すると、２つの突起７１８間に概ね楔形の凹部を形成する。突起７１８は、仕切り７１４が形成されると、折り線６７９付近で第２の内側ストラット６８０に係合する。仕切り７１４が形成される際、仕切りフラップ７０２を、容器Ｃ１又はユーザーによって、横方向折り線６９３から概ね垂直方向に延びるように内方へ押すことができる。底部構造部６７０、６７２は、本開示の範囲から逸脱することなく、別様に配置することができるか、又は別様に相互作用して仕切り７１４及び容器収納部分６１２ａ、６１２ｂを形成することができる。
【００５３】
さらに、サイドパネル６２０、６４０を内方へ折り曲げると、トップパネル６１０から延びるそれぞれのタブ６１６、６１８に隣接してそれぞれのサイドパネル６２０、６４０内に保持機能部（例えば側部開口６２２、６４２）が形成される。図１８〜図２１に示されているように、第１の列７１２ａの各容器Ｃ１のフランジＦは、側部開口６２２のうちの一方を通って延びており、第２の列７１２ｂの各容器Ｃ１のフランジＦは、側部開口６４２のうちの一方を通って延びている。１つの実施形態によると、側部開口６２２、６４２は、側部開口のそれぞれの保持縁６２５、６４５が容器のフランジＦを上方へ押すように配置される。
【００５４】
パッケージ７６０を形成するように２つの容器Ｃ１を保持する組み立てられたキャリア７５０が図１７及び図２０に示されている。一方の容器Ｃ１が各容器収納部分６１２ａに示されており、別の容器Ｃ１が各容器収納部分６１２ｂに示されている。図２１に示されているように、それぞれの列７１２ａ、７１２ｂの２つの隣接する容器Ｃ１のフランジＦは重なることができる。第１の容器収納部分６１２ａでは、フランジＦは、第１の側面６２０の側部開口６２２の保持縁６２５及び仕切りフラップ７０２のうちの一方の保持縁７０５によって第２の端部パネル６９０及び第１のボトムパネル６３０に対して保持される。したがって、開口６２２、７０４及び保持縁６２５、７０５は、第１の容器収納部分６１２ａの保持機能部を少なくとも部分的に形成する（例えば、開口６２２及び保持縁６２５は外側保持機能部であり、開口７０４及び保持縁７０５は内側保持機能部である）。第１のストラット６３２、６３４は、容器Ｃ１の本体Ｂの両側において第１のボトムパネル６３０から第１のサイドパネル６２０へ上方かつ斜めに延びて、第１のサイドパネル６２０の位置を保持するのを助けることができる。第２のストラット６７８、６８０は、第１のボトムパネル６３０から第１の仕切りパネル６７４へ上方かつ斜めに延びることができ、第４のストラット６９８、６９９は、容器Ｃ１の本体Ｂの両側において第２の端部パネル６９０から第２の仕切りパネル６８８へ上方かつ斜めに延びて、仕切り７１４の位置を保持するのを助けることができる。
【００５５】
第２の容器収納部分６１２ｂでは、フランジＦは、第２の側面６４０の側部開口６４２の保持縁６４５及び仕切りパネル６７４の保持縁６８５によって第２のボトムパネル６５０及び第１の端部パネル６７６に対して保持される。したがって、開口６４２、６８４及び保持縁６４５、６８５は、第２の容器収納部分６１２ｂの保持機能部を少なくとも部分的に形成する（例えば、開口６４２及び保持縁６４５は外側保持機能部であり、開口６８４及び保持縁６８５は内側保持機能部である）。加えて又は代替的に、一方の容器収納部分６１２ａにある容器のフランジＦは、仕切りフラップ７０２のうちの一方の保持縁７０５は２つのフランジＦを保持するように、隣接する容器収納部分６１２ｂのフランジＦに重なることができる。代替的には、容器収納部分６１２ｂにある容器のフランジは、仕切りフラップ７０２のうちの一方の縁７０５によって直接保持することができる。図２１に示されているように、仕切りパネル６７４及び仕切りフラップ７０２は、キャリア７５０の上部と仕切り７１４の底部との間に概ね垂直に又は略垂直に延びることができる。第３のストラット６５２、６５４は、容器Ｃ１の本体Ｂの両側において第２のボトムパネル６５０から第２のサイドパネル６４０へ上方かつ斜めに延びて、第２のサイドパネル６４０の位置を保持するのを助けることができる。第２の仕切りパネル６８８のストラット部分６９４、６９６は、容器Ｃ１の本体Ｂの両側において第２のボトムパネル６５０からそれぞれの第４のストラット６９８、６９９へ上方かつ斜めに延びて、仕切り７１４の位置を保持するのを助けることができる。
【００５６】
したがって、図示の実施形態では、容器Ｃ１は、接着剤又は他の締結具を必要とすることなくキャリア７５０内に保持することができる。接着剤又は他の締結具を必要とする代わりに、容器Ｃ１は、それぞれの側部開口６２０、６４０の保持縁６２５、６４５、仕切りパネル６７４の保持縁６８５及び仕切りフラップ７０２の底縁７０５によってフランジＦが支持される。容器Ｃ１は、サイドパネル６２０、６４０及び仕切り７１４によって本体Ｂが保持されることができ、このことによって、本体Ｂがサイドパネル６２０、６４０と仕切り７１４との間で押し挟まれる。容器Ｃ１のうちの１つ又は複数をキャリア７５０から引き離す傾向にある何らかの力には、フランジＦに係合する縁６２５、６４５、６８５、７０５のうちの１つ又は複数によって抗することができる。サイドパネル６２０、６４０のうちの一方又は双方を容器Ｃ１から引き離す傾向にある何らかの力には、それぞれのストラット６３２、６３４及び６５２、６５４を介してそれぞれのボトムパネル６３０、６５０によって抗し、この場合、ボトムパネルはフランジＦとトップパネル６１０との間に保持される。さらに、仕切り７１４の位置決めは、係止タブ６６２と第１の仕切りパネル６７４の開口６８４にある縁との相互作用、及び第２の端部パネル６９０の突起７１８と第２の内側ストラット６８０との相互作用によって促される。
【００５７】
本開示の範囲から逸脱することなく、トップパネル６１０、サイドパネル６２０、６４０及び底部構造部６７０、６７２は、別様に配置又は相互接続することができ、容器収納部分６１２ａ、６１２ｂ及び仕切り７１４は代替的に形成することができる。さらに、容器Ｃ１は、代替的には、本開示から逸脱することなく、容器収納部分６１２ａ、６１２ｂに挿入して容器収納部分６１２ａ、６１２ｂによって保持することができる。例えば、２つの容器Ｃ１を最初に挿入することができ、一方を容器収納部分６１２ａに挿入し、一方を隣接する容器収納部分６１２ｂに挿入し、２つの更なる容器Ｃ１をその後で挿入することができる。代替的には、全ての容器Ｃ１をそれぞれの容器収納部分６１２ａ、６１２ｂに同時に挿入することができる。
【００５８】
図示の実施形態では、キャリア７５０は端部が開口しており、サイドパネル６２０、６４０はトップパネル６１０から概ね下方へ延びている。サイドパネルは、容器Ｃ１の形状に少なくとも部分的に合致することもできる。ユーザーは、パッケージ７６０を運搬するために、キャリア７５０の、指穴６１４、及びサイドパネル６２０、６４０の底縁又は開口端部を容易に把持することができる。代替的な実施形態では、１つ又は複数の端部パネルを、トップパネル６１０、サイドパネル６２０、６４０及びボトムパネル６３０、６５０のうちの１つ又は複数に折り曲げ可能に接続することができる。
【００５９】
概して、ブランクは、通常の紙よりも重く硬質であるように、厚みのある板紙で構成され得る。ブランクは、厚紙等の他の材料、又はカートンが少なくとも概ね上述のように機能することができるようにするのに適した特性を有する任意の他の材料で構成することもできる。ブランクは、例えばクレーコーティングでコーティングすることができる。次いで、クレーコート上に製品、広告、及び他の情報又は画像を印刷してもよい。次いで、ブランクに印刷されている情報を保護するために、ブランクをワニスでコーティングすることができる。ブランクの片面又は両面を、例えば防湿層でコーティングしてもよい。ブランクは、選択されたパネル又はパネルセクションに１つ又は複数のシート状材料を積層又はコーティングすることもできる。
【００６０】
一例として、引き裂き線は、所望の弱化線に沿って材料に部分的に入れ込んだスリット、及び／又は所望の弱化線に沿って材料に部分的に入れ込むか、及び／又は完全に貫通する一連の離間したスリット、又はこれらの機能部の種々の組み合わせを含むことができる。より具体的な例としては、１つのタイプの引き裂き線は、引き裂き線を挟んで材料を通常は一時的に接続するためにニック（例えば、ブリッジにやや似た材料の小片）が間に画成されるように隣接するスリットを僅かに離間させた、材料を完全に貫通する一連の離間したスリットの形態である。ニックは、引き裂き時に引き裂き線に沿って破断される。ニックは通常、引き裂き線において比較的僅かな割合を占めるものであり、代替的に、引き裂き線が連続した切れ目線であるように、ニックを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができるであろう。
【００６１】
例示的な実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の弱化線に沿って材料に圧潰部分又は窪み部分を作る鈍いスコアリングナイフ等で形成される線等のスコア線、所望の弱化線に沿って材料を部分的に入れ込んだ切れ目、及び／又は所望の弱化線に沿って材料を部分的に貫通する一連の切れ目及び／又は材料を完全に貫通する一連の切れ目、並びにこれらの機能部の種々の組み合わせを含む。カッティングを用いて折り線が作られる状況では、通常、カッティングは、賢明なユーザーでも誤って折り線を引き裂き線とみなす可能性があるほど大きすぎないものとする。
【００６２】
本開示の前述の説明は、本開示の種々の実施形態を例示及び説明するものである。本開示の趣旨及び範囲から逸脱することなく、種々の追加、変更、変形等を上記例示の実施形態になし得る。上記説明に含まれるか又は添付図面に示されている全ての事項が、限定的な意味ではなく例示として解釈されることが意図される。加えて、本開示は、本開示の選択された実施形態のみを図示及び説明しているが、本開示は、種々の他の組み合わせ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。さらに、各実施形態の特定の機能部及び特徴を、選択的に入れ替えて、本開示の他の説明された実施形態及び説明されていない実施形態に適用することができる。
【図１】
2013544725.tif 000003
【図２】
2013544725.tif 000004
【図３】
2013544725.tif 000005
【図４】
2013544725.tif 000006
【図５】
2013544725.tif 000007
【図６】
2013544725.tif 000008
【図７】
2013544725.tif 000009
【図８】
2013544725.tif 000010
【図９】
2013544725.tif 000011
【図１０】
2013544725.tif 000012
【図１１】
2013544725.tif 000013
【図１２】
2013544725.tif 000014
【図１３】
2013544725.tif 000015
【図１４】
2013544725.tif 000016
【図１５】
2013544725.tif 000017
【図１６】
2013544725.tif 000018
【図１７】
2013544725.tif 000019
【図１８】
2013544725.tif 000020
【図１９】
2013544725.tif 000021
【図２０】
2013544725.tif 000022
【図２１】
2013544725.tif 000023
【国際調査報告】
2013544725.tif 000024
2013544725.tif 000025